(57)【要約】【課題】水面等を撮影するときにも、精度の高い距離の推測を行える携帯型撮影装置及び撮影プログラムを提供する。【解決手段】任意の撮影位置から任意の撮影方向にある撮影対象を撮影装置で撮影し、距離計測装置により撮影位置と撮影対象との距離を計測する携帯型撮影装置において、距離測定状況監視部３２が、距離計測装置を構成するレーザ距離計から発射されたレーザ光がほとんど反射しない水面等を撮影して、距離計測が不能になっているか否かを監視し、距離計測が不能である場合に、距離計測が不能となる以前の最新の距離計測結果に基づいて、距離計測が不能である撮影位置と撮影対象との距離を推測する距離推測部３４が備えられている。これにより、水面等を撮影するときにも、精度の高い距離の推測を行うことができる。【選択図】図２
2015203618.tif 000002
【特許請求の範囲】
【請求項１】
任意の撮影位置から任意の撮影方向にある撮影対象を撮影する撮影手段と、
前記撮影位置と前記撮影対象との距離を計測する距離計測手段と、
前記撮影方向の仰俯角を計測する仰俯角計測手段と、
前記撮影方向の方位角を計測する方位角計測手段と、
前記撮影位置の座標値を計測する座標計測手段と、
前記距離計測手段による距離計測が不能であるか否かを監視する距離計測状況監視手段と、
前記距離計測手段による距離計測が不能であると判定した場合に、距離計測が不能となる直前の時点において又は距離計測再開後の最初の時点において計測した距離計測結果と撮影方向の仰俯角の計測結果と撮影位置の座標値の計測結果を使って演算された撮影対象の高さ、前記計測した仰俯角及び座標値に基づいて、前記距離計測が不能である前記撮影位置と前記撮影対象との距離を推測する距離推測手段と、
前記推測した距離、並びに前記計測した仰俯角、方位角及び座標値に基づき、前記撮影対象の座標を演算する演算手段と、
前記距離計測が不能な撮影対象について、前記距離計測が不能である旨を表示する表示手段と、
前記撮影手段、距離計測手段、仰俯角計測手段、方位角計測手段を収容する筐体と、
を備える携帯型撮影装置。
【請求項２】
前記距離推測手段は、前記仰俯角計測手段が計測した仰俯角が所定の値を超えたときに、前記撮影位置と前記撮影対象との距離を推測する請求項１に記載の携帯型撮影装置。
【請求項３】
コンピュータを、
撮影手段により任意の撮影位置から任意の撮影方向にある撮影対象を撮影した画像情報を取得する画像情報取得手段、
距離計測手段による前記撮影位置と前記撮影対象との距離の計測結果を取得する距離情報取得手段、
前記撮影方向の仰俯角の計測結果を取得する仰俯角取得手段、
前記撮影方向の方位角の計測結果を取得する方位角取得手段、
前記撮影位置の座標値を取得する座標情報取得手段、
前記距離計測手段による距離計測が不能であるか否かを監視する距離計測状況監視手段、
前記距離計測手段による距離計測が不能であると判定した場合に、撮影方向の仰俯角及び距離計測が不能となる直前の時点において又は距離計測再開後の最初の時点において計測した距離計測結果と撮影方向の仰俯角の計測結果と撮影位置の座標値の計測結果を使って演算された撮影対象の高さ、前記計測した仰俯角及び座標値に基づいて、前記距離計測が不能である前記撮影位置と前記撮影対象との距離を推測する距離推測手段、
前記推測した距離、並びに前記計測した仰俯角、方位角及び座標値に基づき、前記撮影対象の座標を演算する演算手段、
前記距離計測が不能な撮影対象について、前記距離計測が不能である旨を表示する表示手段、
として機能させることを特徴とする撮影プログラム。
【発明の詳細な説明】
【技術分野】
【０００１】
本発明は、携帯型撮影装置及び撮影プログラムに関する。
【背景技術】
【０００２】
従来から、航空機等に搭載したカメラにより地表面の画像を撮影し、撮影対象である地表面等の位置を特定する技術が提案されている。例えば、下記特許文献１〜４には、航空機等の移動体に搭載したカメラにより地表面の画像を撮影し、撮影位置の座標値、撮影位置と撮影対象との距離、撮影方向の仰俯角及び撮影方向の方位角に基づいて撮影対象の座標値を特定することができる、移動体に搭載可能な撮影装置が開示されている。
【先行技術文献】
【特許文献】
【０００３】
【特許文献１】特開２０１１−３８９４４号公報
【特許文献２】特開２０１１−１３０２５５号公報
【特許文献３】特開２０１３−２０５１６５号公報
【特許文献４】特開２０１３−２０５４１９号公報
【発明の概要】
【発明が解決しようとする課題】
【０００４】
しかし、上記従来の技術においては、水面等を撮影するときのように、レーザ光が反射しない、または反射光の強度が測定不能な程度に低くなる場合には、距離測定ができなくなるという問題があった。
【０００５】
本発明の目的は、水面等を撮影するときにも、精度の高い距離の推測を行える携帯型撮影装置及び撮影プログラムを提供することにある。
【課題を解決するための手段】
【０００６】
上記目的を達成するために、本発明の一実施形態は、携帯型撮影装置であって、任意の撮影位置から任意の撮影方向にある撮影対象を撮影する撮影手段と、前記撮影位置と前記撮影対象との距離を計測する距離計測手段と、前記撮影方向の仰俯角を計測する仰俯角計測手段と、前記撮影方向の方位角を計測する方位角計測手段と、前記撮影位置の座標値を計測する座標計測手段と、前記距離計測手段による距離計測が不能であるか否かを監視する距離計測状況監視手段と、前記距離計測手段による距離計測が不能であると判定した場合に、距離計測が不能となる直前の時点において又は距離計測再開後の最初の時点において計測した距離計測結果と撮影方向の仰俯角の計測結果と撮影位置の座標値の計測結果を使って演算された撮影対象の高さ、前記計測した仰俯角及び座標値に基づいて、前記距離計測が不能である前記撮影位置と前記撮影対象との距離を推測する距離推測手段と、前記推測した距離、並びに前記計測した仰俯角、方位角及び座標値に基づき、前記撮影対象の座標を演算する演算手段と、前記距離計測が不能な撮影対象について、前記距離計測が不能である旨を表示する表示手段と、前記撮影手段、距離計測手段、仰俯角計測手段、方位角計測手段を収容する筐体と、を備える。
【０００７】
上記距離推測手段は、前記仰俯角計測手段が計測した仰俯角が所定の値を超えたときに、前記撮影位置と前記撮影対象との距離を推測するのが好適である。
【０００８】
また、本発明の他の実施形態は、撮影プログラムであって、コンピュータを、撮影手段により任意の撮影位置から任意の撮影方向にある撮影対象を撮影した画像情報を取得する画像情報取得手段、距離計測手段による前記撮影位置と前記撮影対象との距離の計測結果を取得する距離情報取得手段、前記撮影方向の仰俯角の計測結果を取得する仰俯角取得手段、前記撮影方向の方位角の計測結果を取得する方位角取得手段、前記撮影位置の座標値を取得する座標情報取得手段、前記距離計測手段による距離計測が不能であるか否かを監視する距離計測状況監視手段、前記距離計測手段による距離計測が不能であると判定した場合に、撮影方向の仰俯角及び距離計測が不能となる直前の時点において又は距離計測再開後の最初の時点において計測した距離計測結果と撮影方向の仰俯角の計測結果と撮影位置の座標値の計測結果を使って演算された撮影対象の高さ、前記計測した仰俯角及び座標値に基づいて、前記距離計測が不能である前記撮影位置と前記撮影対象との距離を推測する距離推測手段、前記推測した距離、並びに前記計測した仰俯角、方位角及び座標値に基づき、前記撮影対象の座標を演算する演算手段、前記距離計測が不能な撮影対象について、前記距離計測が不能である旨を表示する表示手段、として機能させることを特徴とする。
【発明の効果】
【０００９】
本発明によれば、水面等を撮影するときにも、精度の高い距離の推測を行うことができる。
【図面の簡単な説明】
【００１０】
【図１】実施形態にかかる携帯型撮影装置の構成図である。
【図２】実施形態にかかる制御装置の機能ブロック図である。
【図３】図２に示された対象座標演算部の演算処理の説明図である。
【図４】実施形態にかかる制御装置の距離推測動作の例のフロー図である。
【図５】図２に示された距離推測部による距離の推測処理の説明図である。
【図６】ヘリコプター等の航空機から実施形態に係る携帯型撮影装置で河川地域を撮影した場合の説明図である。
【発明を実施するための形態】
【００１１】
以下、本発明を実施するための形態（以下、実施形態という）を、図面に従って説明する。
【００１２】
図１には、実施形態にかかる携帯型撮影装置の構成図が示される。図１において、携帯型撮影装置は、撮影装置１０、距離計測装置１２、角度計測装置１４、座標計測装置１６、制御装置１８を含んで構成されている。この携帯型撮影装置は、例えばヘリコプター等の航空機に持ち込んで、使用者が手で持ちながら地表面の撮影を行うために使用される。
【００１３】
撮影装置１０は、ＣＣＤカメラその他の適宜なカメラにより構成され、撮影対象を撮影して、撮影対象の画像情報を生成する。なお、撮影装置１０には、動画を撮影するビデオカメラを含んでもよい。また、撮影装置１０は、撮影方向の仰俯角が異なる複数のカメラを上下あるいは左右方向に並べて備える構成としてもよい。更に、焦点距離の異なる複数のカメラを用い、広角レンズの撮影範囲に望遠レンズの撮影範囲が含まれるように構成してもよい。これにより、画角が広くなるとともに、高解像度を維持することができる。
【００１４】
距離計測装置１２は、撮影装置１０の撮影位置と撮影対象との距離を計測する。撮影位置と撮影対象との距離は、例えば従来公知のレーザ距離計等を使用して計測する。
【００１５】
角度計測装置１４は、撮影装置１０の撮影方向の方位角、仰俯角を計測する。撮影方向は、例えば撮影装置１０を構成するカメラのレンズの光軸方向である。撮影方向の方位角は、例えば従来公知の磁気センサにより地磁気の方向を検出することにより計測する。また、撮影方向の仰俯角は、従来公知のジャイロスコープ等を使用して計測する。これにより、例えば撮影対象を標的する（撮影対象がカメラのレンズの光軸上に位置する）ように、後述するカメラを収容した筐体２０の向きを使用者が調整した際の、調整された撮影方向の方位角、仰俯角を計測することができる。
【００１６】
距離計測装置１２及び角度計測装置１４による上記距離及び角度の計測は、撮影装置１０のシャッターと同期して行われてもよいし、シャッターとは別に（非同期で）上記距離及び角度を計測する構成としてもよい。なお、動画撮影を行っている場合には、所定時間間隔毎に上記計測を行う構成としてもよい。
【００１７】
座標計測装置１６は、ＧＰＳ（全地球測位システム）受信機を含んで構成され、撮影装置１０の撮影位置の座標値（例えば、緯度、経度、標高）を計測する。上記座標値の計測は、撮影装置１０のシャッターと同期して、あるいは非同期で行われる。なお、動画撮影を行っている場合には、所定時間間隔毎に上記座標値の計測を行う構成としてもよい。なお、図１では、座標計測装置１６が通信線により制御装置１８に接続されているが、この例は使用者が撮影時に自身の身につけて（例えばポケット等に挿入して）使用し、撮影装置１０と使用者とが同じ位置であるとみなせることが前提となっている。この座標計測装置１６は、後述する筐体２０に固定してもよい。この場合、例えばヘリコプターの窓際等、ＧＰＳ衛星からの電波を良好に受信できる場所に筐体２０を配置することが好ましい。また、座標計測装置１６のみをヘリコプターの窓際等、ＧＰＳ衛星からの電波を良好に受信できる場所に配置し、ＧＰＳ衛星からの電波を受信させてもよい。
【００１８】
制御装置１８は、適宜なコンピュータにより構成され、上記座標計測装置１６が計測した撮影位置の座標値、上記距離計測装置１２が計測した撮影位置と撮影対象との距離、角度計測装置１４が計測した上記方位角及び上記仰俯角に基づき、撮影対象の座標値を求める。また、距離計測装置１２が計測した撮影位置と撮影対象との距離、角度計測装置１４が計測した上記方位角及び上記仰俯角、制御装置１８が求めた座標値等と、撮影装置１０が撮影した撮影対象の画像情報とを関連付けて出力する。
【００１９】
上記撮影装置１０、距離計測装置１２及び角度計測装置１４は、使用者が手で持って撮影等の操作ができるように、使用者が把持可能な適宜な筐体２０に固定されている。また、図１に示された例では、距離計測装置１２及び角度計測装置１４が筐体２０の外表面に配置されているが、これらの配置は図１の例に限定されない。筐体２０の内部及び筐体２０の周囲（外表面）に一体的に固定されて配置され、使用者が筐体２０を手で持ちながら撮影等の操作を行い易ければ適宜採用することができる。また、この筐体２０には、制御装置１８を収容する構成としてもよい。その場合、制御装置１８としては、図１に示されたパーソナルコンピュータではなく、小型の組み込み用コンピュータ等を使用するのが好適である。また、ＧＰＳ衛星からの電波を受信して撮影位置の座標値が計測できるのであれば、更に座標計測装置１６を筐体２０に収容する構成としてもよい。実施形態にかかる携帯型撮影装置は、角度計測装置１４に小型の磁気センサやジャイロスコープを採用し、航空機、車両等の移動体に固定された軸に対してカメラの回転角度を求める必要がない装置とする。このため、使用者が手で持った状態でも方位角を計測することができる。また、筐体２０には、使用者が手で持つときに握るための把持部材２２を設けるのが好適である。
【００２０】
図２には、実施形態にかかる制御装置１８の機能ブロック図が示される。図２において、制御装置１８は、画像情報取得部２４、ＧＰＳ情報取得部２６、距離情報取得部２８、角度情報取得部３０、距離計測状況監視部３２、距離推測部３４、対象座標演算部３６、記憶部３８、出力部４０、通信部４２及びＣＰＵ４４を含んで構成されている。この制御装置１８は、ＣＰＵ、ＲＯＭ、ＲＡＭ、不揮発性メモリ、Ｉ／Ｏ、通信インターフェース等を備え、装置全体の制御及び各種演算を行うコンピュータとして構成されており、上記各機能は、例えばＣＰＵ４４とＣＰＵ４４の処理動作を制御するプログラムとにより実現される。
【００２１】
画像情報取得部２４は、撮影装置１０が撮影した撮影対象の画像情報を取得する。取得した画像情報には適宜な識別情報を付して記憶部３８に記憶させるとともに、出力部４０に出力する。この識別情報としては、例えば撮影装置１０のシャッターの動作時刻とすることができる。この場合、画像情報取得部２４が撮影装置１０のシャッターを動作させるトリガー信号を発生させ、このトリガー信号の発生時刻を識別情報とする。このときには、シャッターを動作させるトリガー信号を距離計測装置１２、角度計測装置１４及び座標計測装置１６に同時に出力して各計測を行わせてもよいし、距離計測装置１２、角度計測装置１４及び座標計測装置１６に撮影装置１０を動作させるトリガー信号とは別に、同期を取らずにトリガー信号を出力して各計測を行わせる構成としてもよい。なお、画像情報取得部２４が取得する画像情報には、静止画の他、動画が含まれていてもよい。
【００２２】
ＧＰＳ情報取得部２６は、座標計測装置１６が撮影装置１０のシャッターに同期して計測した撮影装置１０の撮影位置の座標値を取得し、記憶部３８に記憶させる。この場合、記憶部３８に記憶させる座標値には、撮影装置１０のシャッターの動作時刻等の識別情報を付し、画像情報取得部２４が取得した画像情報との対応関係を判定できる構成としておく。なお、座標計測装置１６が撮影装置１０のシャッターと非同期で計測を行った場合には、ＧＰＳ情報取得部２６が座標の計測時刻及びシャッターの動作時刻に基づき適宜な補間処理によりシャッターの動作時の座標値を求めて記憶部３８に記憶させる。この場合、記憶部３８に記憶させる座標値には、撮影装置１０のシャッターの動作時刻等の識別情報を付し、撮影装置１０が撮影した撮影対象の画像情報との対応関係を判定できる構成としておく。また、時刻情報を識別情報とするために、座標計測装置１６が受信するＧＰＳ信号に含まれる時刻情報に基づいて制御装置１８の時計を初期化し、同期が取れるようにしておく。なお、ＧＰＳ情報取得部２６が座標値を取得できない場合には、前後数点の座標値を用いて補間したり、あるいはＧＰＳの代わりにジャイロ、加速度計等を使用した公知の方法により座標値を取得してもよい。
【００２３】
距離情報取得部２８は、距離計測装置１２を構成するレーザ距離計が撮影装置１０のシャッターに同期して計測した距離の値を取得し、記憶部３８に記憶させる。この距離の値は、撮影装置１０の撮影位置と撮影対象との距離（例えばメートル単位の値）である。なお、上記レーザ距離計が距離とは異なる形式のデータ （例えばパルス信号）を出力する場合には、距離情報取得部２８がレーザ距離計の計測データから撮影装置１０の撮影位置と撮影対象との距離の値を演算する構成としてもよい。このようにして記憶部３８に記憶させる距離の値にも、撮影装置１０のシャッターの動作時刻等の識別情報を付し、画像情報取得部２４が取得した画像情報との対応関係を判定できる構成としておく。なお、距離計測装置１２が撮影装置１０のシャッターと非同期で計測を行った場合には、距離情報取得部２８が距離の計測時刻及びシャッターの動作時刻に基づき適宜な補間処理によりシャッターの動作時の距離の値を求めて記憶部３８に記憶させる。この場合、記憶部３８に記憶させる距離の値には、撮影装置１０のシャッターの動作時刻等の識別情報を付し、撮影装置１０が撮影した撮影対象の画像情報との対応関係を判定できる構成としておく。
【００２４】
角度情報取得部３０は、撮影装置１０のシャッターに同期して角度計測装置１４が計測した撮影装置１０の撮影方向の方位角及び仰俯角を取得し、記憶部３８に記憶させる。なお、角度計測装置１４は、方位角及び仰俯角だけの計測が可能な機器に限定されない。このようにして記憶部３８に記憶させる方位角、仰俯角にも、撮影装置１０のシャッターの動作時刻等の識別情報を付し、画像情報取得部２４が取得した画像情報との対応関係を判定できる構成としておく。なお、角度計測装置１４が撮影装置１０のシャッターと非同期で計測を行った場合には、角度情報取得部３０が方位角、仰俯角の計測時刻及びシャッターの動作時刻に基づき適宜な補間処理によりシャッターの動作時の方位角、仰俯角の値を求めて記憶部３８に記憶させる。この場合、記憶部３８に記憶させる方位角、仰俯角の値には、撮影装置１０のシャッターの動作時刻等の識別情報を付し、撮影装置１０が撮影した撮影対象の画像情報との対応関係を判定できる構成としておく。
【００２５】
距離計測状況監視部３２は、距離計測装置１２による撮影位置と撮影対象との距離計測が不能であるか否かを監視する。例えば、撮影装置１０により水面等を撮影するときにはレーザ距離計のレーザ光が水面等に照射されるが、レーザ光が照射される水面等の反射面での光学的特性に依存して反射されるレーザ光の強度が測定不能な程度に低くなることがある。このような場合には、レーザ距離計がレーザ光の反射光を検出できなくなり、距離計測不能のエラー信号を出力する。距離計測状況監視部３２は、このエラー信号を受け取ったときに距離計測装置１２による距離計測が不能であると判定し、距離推測部３４に動作開始の指示信号を出力する。
【００２６】
距離推測部３４は、距離計測状況監視部３２が距離計測装置１２による距離計測が不能であると判定した場合（距離計測状況監視部３２から上記動作開始の指示信号を受け取った場合）に、距離計測が不能となる直前の（最後に対象座標演算部３６が演算した）撮影対象の座標値（特にその中の高さ（ＧＰＳ高又はＧＰＳ高からジオイド高を引いて求まる標高）及び距離計測が不能であると判定した時点において角度計測装置１４が計測した撮影方向の仰俯角の計測結果及び距離計測が不能であると判定した時点において座標計測装置１６が計測した撮影位置の座標値に基づいて、距離計測が不能である撮影位置と撮影対象との距離を推測する。距離の推測手順は後述する。なお、上記直前の計測結果の代わりに、距離計測が不能となった後に距離計測が再開した場合の最初の撮影対象の座標値及び撮影方向の仰俯角の計測結果を使用してもよい。なお、距離計測が再開したときとは、距離計測装置１２の撮影方向が水面等ではなくなったとき、すなわちレーザ距離計がレーザ光の反射光の検出を再開したときをいう。
【００２７】
距離推測部３４が推測した距離の値には、撮影装置１０のシャッターの動作時刻等の識別情報を付し、画像情報取得部２４が取得した画像情報との対応関係を判定できる構成としておく。また、距離推測部３４が推測した距離の値は、上記識別情報を付して記憶部３８に記憶させる。
【００２８】
対象座標演算部３６は、ＧＰＳ情報取得部２６が取得した撮影位置の座標値（緯度、経度、標高等の座標値）、距離情報取得部２８が取得した撮影装置１０の撮影位置と撮影対象との距離、角度情報取得部３０が取得した撮影装置１０の撮影方向の方位角及び仰俯角を記憶部３８から読み出し、これらの値に基づいて撮影対象の座標値を演算する。なお、距離計測状況監視部３２が距離計測装置１２による距離計測が不能であると判定した場合には、距離推測部３４が推測した距離の値を使用する。この演算には、上記識別情報にて対応関係があると判別された撮影位置の座標値、距離、方位角及び仰俯角を記憶部３８から読み出して使用する。演算した座標値には、上述した撮影装置１０のシャッターの動作時刻等の識別情報を付して記憶部３８に記憶させる。
【００２９】
記憶部３８は、ハードディスク装置、ソリッドステートドライブ（ＳＳＤ）等の不揮発性メモリで構成される記憶装置に、上記識別情報を付した画像情報、識別情報を付した撮影位置の座標値、識別情報を付した距離の値、識別情報を付した方位角、仰俯角等、及びＣＰＵの動作プログラム等の、制御装置１８の各処理に必要な情報を記憶させる。また、対象座標演算部３６が演算した撮影対象の座標値も識別情報を付して記憶装置に記憶させる。なお、記憶部３８としては、デジタル・バーサタイル・ディスク（ＤＶＤ）、コンパクトディスク（ＣＤ）、ブルーレイディスク（ＢＤ）、光磁気ディスク（ＭＯ）、フレキシブルディスク（ＦＤ）、磁気テープ、電気的消去および書き換え可能な読出し専用メモリ（ＥＥＰＲＯＭ）、フラッシュ・メモリ等を使用してもよい。
【００３０】
出力部４０は、撮影装置１０が撮影した撮影対象の画像情報を、対象座標演算部３６が演算して求めた撮影対象の座標値とともに記憶部３８から読み出して出力する。この場合、撮影対象の画像情報と座標値とは、上記識別情報に基づいて関連づけを行う。また、距離計測状況監視部３２が距離計測装置１２による距離計測が不能であると判定した場合には、その旨の報知を行う。出力部４０が上記情報を出力する先は、例えば表示装置等であり、液晶ディスプレイ等に上記画像情報、撮影対象の座標値等を表示する。また、座標値に基づいて、対応する地図を表示装置に表示させてもよい。この場合、例えば、撮影対象の座標値に基づいて、所定の地図上の撮影対象の位置に、撮影対象の画像情報を関連付け、入力装置としてのポインティングデバイスにより撮影対象の位置を表す画素領域（１つまたは複数の画素により構成される）をクリック（領域指定）することにより、当該画像情報を表示する構成が好適である。なお、撮影対象の画像は、２次元地図または３次元地図上へ表示することができる。上記２次元または３次元の地図情報も記憶部３６に記憶させておき、出力部４０が読み出して出力する構成とする。また、距離計測が不能である旨の報知は、上記表示装置に適宜な図形（小さな円等）の連続または点滅表示、文字による表示等により行えるが、これらに限定されない。
【００３１】
通信部４２は、ＵＳＢ（ユニバーサルシリアルバス）ポート、ネットワークポートその他の適宜なインターフェースにより構成され、ＣＰＵが外部の装置とデータをやり取りするために使用する。また、撮影装置１０、距離計測装置１２、角度計測装置１４、座標計測装置１６から画像情報、距離と角度の計測値、及び座標値等の情報を受信し、必要に応じて適宜な指示情報等を送信する。
【００３２】
図３（ａ），（ｂ）には、図２に示された対象座標演算部３６の演算処理の説明図が示される。本実施形態に係る携帯型撮影装置は、使用者が手で持って操作できるものであり、図３（ａ），（ｂ）は、ヘリコプターから使用者が携帯型撮影装置の筐体２０を手で持って地表を撮影した場合の例である。
【００３３】
図３（ａ）が（ｘ，ｙ）座標で規定される平面図であり、ヘリコプターＨ上の撮影位置Ｃから真北Ｎに対して角度αの方位にある撮影対象Ｐを撮影している状態が示されている。また、ヘリコプターＨ上の撮影位置Ｃすなわち携帯型撮影装置の撮影装置１０の位置から撮影対象Ｐの位置までの水平距離をｄで示している。なお、図３（ａ）では、ｘ方向及びｙ方向をそれぞれ矢印で示している。
【００３４】
図３（ｂ）が（ｘ，ｚ）座標で規定される側面図であり、高度ｈで飛行するヘリコプターＨから下方の地表面Ｂ上の撮影対象Ｐを撮影している状態が示されている。この場合、撮影方向（仰俯角方向）は、角度θの仰俯角となっている。また、撮影位置Ｃと撮影対象Ｐとの距離をＤで示している。なお、図３（ｂ）では、ｘ方向及びｚ方向をそれぞれ矢印で示している。
【００３５】
上記方位角α、仰俯角θ及び距離Ｄには、距離計測装置１２、角度計測装置１４により計測した値を用いる。なお、角度計測装置１４が計測した方位角αが磁北からの角度である場合には、真北からの角度に磁気偏角を補正した値を用いる。これらの値は記憶部３８から対象座標演算部３６が取得する。なお、距離Ｄは、距離推測部３４が推測した距離の値の場合もある。対象座標演算部３６は、これらの値とＧＰＳ情報取得部２６が取得した撮影位置Ｃの座標値とを使用して撮影対象Ｐの座標値を演算する。この場合の演算式は以下の通りである。
【００３６】
撮影対象Ｐの座標を（Ｘｐ，Ｙｐ，Ｚｐ）とし、撮影位置Ｃの座標を（Ｘｃ，Ｙｃ，Ｚｃ）とすると、
Ｘｐ＝Ｘｃ−ｄ・ｓｉｎα
Ｙｐ＝Ｙｃ＋ｄ・ｃｏｓα                        …  （１）
Ｚｐ＝Ｚｃ−Ｄ・ｓｉｎθとなる。
ただし、ｄ＝Ｄ・ｃｏｓθ及びｈ＝Ｄ・ｓｉｎθである。
【００３７】
なお、撮影位置Ｃの座標値が経度、緯度、標高で取得されている場合は、下記式（２）により撮影対象Ｐの座標値を求める。
Ｘｐ＝Ｘｃ−ｄ・ｓｉｎα／Ｋｘ
Ｙｐ＝Ｙｃ＋ｄ・ｃｏｓα／Ｋｙ                      …  （２）
Ｚｐ＝Ｚｃ−Ｄ・ｓｉｎθ
ここで、Ｋｘは緯度Ｙｃにおける経度１度当たりの距離であり、Ｋｙは緯度１度当たりの距離である。
【００３８】
図４には、実施形態にかかる制御装置１８の距離推測動作の例のフロー図が示される。また、図５には、図２に示された距離推測部３４による距離の推測処理の説明図が示される。図５の例では、水面Ｗｓにレーザ距離計のレーザ光が照射され、撮影位置と撮影対象との距離Ｄｓが計測不能となっている。
【００３９】
図４において、距離計測状況監視部３２が、距離計測装置１２による距離計測が不能であるか否かを監視しており(Ｓ１)、距離計測装置１２による距離計測が不能となっていない場合（Ｓ１でＹの場合）には、距離情報取得部２８が距離計測装置１２から取得した撮影装置１０の撮影位置と撮影対象との距離の値を対象座標演算部３６が記憶部３８から読み出して撮影対象の座標値の演算に使用する(Ｓ２)。
【００４０】
一方、図５に示されるように、水面Ｗｓにレーザ距離計のレーザ光が照射されている場合には、Ｓ１において距離計測装置１２による距離計測が不能となり（Ｓ１でＮとなる）、距離計測状況監視部３２からの動作開始の指示信号に基づき、距離計測装置１２による距離計測が不能となる直前の（最後に対象座標演算部３６が演算した）撮影対象の座標値及び（距離計測が不能であると判定した時点において角度計測装置１４が計測した）撮影方向の仰俯角の計測結果及び（距離計測が不能であると判定した時点において座標計測装置１６が計測した）撮影位置の座標値を記憶部３８から読み出す(Ｓ３)。また、このとき、距離推測部３４は、現在（距離推測処理の実行時）の撮影位置の座標値及び撮影方向の仰俯角も記憶部３８から読み出す(Ｓ４)。以後、現在の撮影方向の仰俯角をθｐとする。
【００４１】
図５において、撮影装置１０の撮影位置がＡで示され、撮影位置Ａの高さは、航空機に持ち込まれた携帯型撮影装置の高さ（撮影位置の高さ）Ｈｃとなっている。Ｈｃの値は、座標計測装置１６が計測した高さ（ＧＰＳ高又はＧＰＳ高からジオイド高を引いて求まる標高）である。また、上記距離計測が不能となる直前の撮影対象の座標値に含まれる高さＨｇで示され、水面Ｗｓの高さがＨｇ’で示されている。
【００４２】
距離推測部３４は、現在の撮影方向の仰俯角θｐが所定の閾値より大きいか否かを判定する(Ｓ５)。撮影位置Ａから撮影対象Ｗｓまでの距離Ｄｓは、後述する式（３）で演算されるが、θｐの値が小さな値になる（つまり、水平に近づく）と分母のｓｉｎ（θｐ）がゼロに近づくため、その場合に撮影位置の高さＨｃと撮影対象の高さＨｇの差の値の誤差が大きく拡大されてＤｓの値が計算されてしまうことになり、演算結果としてのＤｓの信頼性は低下する。このため、仰俯角θｐが所定の閾値以下の場合（Ｓ５でＮの場合）には、対象座標演算部３６による撮影対象の座標値の演算を行わない(Ｓ６)。この場合には、出力部４０から撮影対象の画像情報のみを出力し、撮影対象の座標値との関連づけは行わない。なお、撮影対象の座標値の演算を行わなかった旨を表す情報を出力し、表示装置に表示する等の処理を行うのが好適である。
【００４３】
一方、Ｓ５において仰俯角θｐが閾値より大きい場合（Ｓ５でＹの場合）には、図５に示される最新の撮影対象の標高Ｈｇと水面Ｗｓの標高Ｈｇ’とが等しい（Ｈｇ＝Ｈｇ’）と仮定して、距離推測部３４が以下の式（３）により、撮影位置Ａから撮影対象である水面Ｗｓまでの距離Ｄｓを推測し、記憶部３８に記憶する(Ｓ７)。
【００４４】
Ｄｓ＝（Ｈｃ−Ｈｇ）／ｓｉｎ（θｐ）  …  （３）
【００４５】
距離推測部３４が推測した上記距離Ｄｓは、対象座標演算部３６が記憶部３８から読み出し、水面Ｗｓの座標値を演算する(Ｓ８)。なお、このときに演算される座標値は、撮影装置１０が撮影した水面Ｗｓの画像の中心点等、距離計測装置１２のレーザ距離計から発射されたレーザ光が照射される位置の座標値である。
【００４６】
上述した図４の各ステップを実行するためのプログラムは、記録媒体に格納することも可能であり、また、そのプログラムを通信手段によって提供しても良い。その場合、例えば、上記説明したプログラムについて、「プログラムを記録したコンピュータ読み取り可能な記録媒体」の発明または「データ信号」の発明として捉えても良い。
【００４７】
図６には、ヘリコプター等の航空機から本実施形態に係る携帯型撮影装置で河川地域を撮影した場合の説明図が示される。図６において、河川Ｒはその一部が記載されており、矢印Ｆの方向に流れている。また、河川Ｒの途中には、中州Ｉが存在している。
【００４８】
図６の例では、携帯型撮影装置は、航空機の飛行ルートに沿って河川地域を撮影しており、撮影地点としてＰ１〜Ｐ８が示されている。撮影はＰ１からＰ８の順番で実施されている。図６において、川岸である地点Ｐ１、Ｐ２、Ｐ３を撮影した後、中州Ｉで２点Ｐ４、Ｐ５を撮影しているが、これらの地点は地表面からレーザ光が十分な強度で反射してくるので、上記図４のＳ１のＹの場合に相当し、距離計測装置１２による距離計測が行われる。
【００４９】
これに対して、次の撮影地点Ｐ６、Ｐ７は、河川Ｒの水面上の点であり、上記図４のＳ１のＮの場合に相当する。このため、距離計測装置１２による距離計測が不能となる。この場合、携帯型撮影装置の操作者は、撮影地点Ｐ６を撮影する前に、Ｐ６の近傍である川岸の地点Ｌ１を撮影する。また、Ｐ７を撮影する前には、Ｐ７の近傍である川岸の地点Ｌ２を撮影する。これにより、Ｐ６で距離計測が不能となった場合には、その直前の（距離計測が不能となる直前の）撮影対象の座標値である、地点Ｌ１の座標値が記憶部３８から読み出され、上述した仰俯角θｐが閾値以下の場合には、上記座標値の標高Ｈｇを使用し、距離推測部３４が上述した式（３）に基づいて撮影位置と撮影地点Ｐ６との距離を推測することができる。撮影地点Ｐ７についても同様である。
【００５０】
なお、上記例では、撮影地点Ｐ６、Ｐ７の撮影の直前に川岸の地点Ｌ１、Ｌ２の撮影を行っているが、撮影地点Ｐ６、Ｐ７の撮影の直後に川岸の地点Ｌ１、Ｌ２の撮影を行い、距離計測が不能となった後に距離計測が再開した場合の最初の距離計測結果として使用してもよい。すなわち、撮影地点Ｐ６、Ｐ７の撮影の直後に川岸の地点Ｌ１、Ｌ２を撮影し、対象座標演算部３６が地点Ｌ１、Ｌ２の座標値を演算し、これらの座標値の標高Ｈｇを使用し、距離推測部３４が上述した式（３）に基づいて撮影位置と撮影地点Ｐ６、Ｐ７との距離を推測する。
【００５１】
あるいは、撮影地点Ｐ６の場合には、Ｌ１またはＬ２の代わりに最新の計測点であるＰ５の座標値を、撮影地点Ｐ７の場合には次の計測点Ｐ８（川岸の地点）の座標値を記憶部３８から読み出す構成としてもよい。更に、撮影対象が海水面である場合には、図示しない入力部より操作者が入力した標高０ｍを距離推測部３４の推測値とする構成としてもよい。
【００５２】
これにより、レーザ光の反射率が高い地表面の撮影も、反射率が低い水面の撮影も高い精度で距離測定しながら実施することができる。
【符号の説明】
【００５３】
１０  撮影装置、１２  距離計測装置、１４  角度計測装置、１６  座標計測装置、１８  制御装置、２０  筐体、２２  把持部材、２４  画像情報取得部、２６  ＧＰＳ情報取得部、２８  距離情報取得部、３０  角度情報取得部、３２  距離計測状況監視部、３４  距離推測部、３６  対象座標演算部、３８  記憶部、４０  出力部、４２  通信部。
【図１】
2015203618.tif 000003
【図２】
2015203618.tif 000004
【図３】
2015203618.tif 000005
【図４】
2015203618.tif 000006
【図５】
2015203618.tif 000007
【図６】
2015203618.tif 000008